(57)【要約】【課題】  混合液の高撹拌と吐出口からの混合液のスムースフローを向上させ、しかも、低コストにして生産性にも優れるミキシングヘッド装置及びこれを用いた成形方法を提供する。【解決手段】  化学的に反応する二種類の液状配合原料５をチャンバ側壁１１にそれぞれ設けた細孔からチャンバ内１０に噴射し、両配合原料５を衝突させて混合するミキシングヘッド装置において、前記両配合原料５のうち少なくとも一方の配合原料に係る前記細孔３０が二個〜四個の範囲内で複数個設けられ、さらに該二個〜四個のうち二個以上の細孔３０の中心軸線３５がチャンバ内１０で交差し、その中心軸線が交差する細孔３０から噴射する前記配合原料の噴射液５０が、他方の配合原料との衝突に先立ち、チャンバ内１０で自己衝突する。【選択図】  図１
2008307721.tif 000002
【特許請求の範囲】
【請求項１】
化学的に反応する二種類の液状配合原料をチャンバ側壁にそれぞれ設けた細孔からチャンバ内に噴射し、両配合原料を衝突させて混合するミキシングヘッド装置において、
前記両配合原料のうち少なくとも一方の配合原料に係る前記細孔が二個〜四個の範囲内で複数個設けられ、さらに該二個〜四個のうち二個以上の細孔の中心軸線がチャンバ内で交差し、その中心軸線が交差する細孔から噴射する前記配合原料の噴射液が、他方の配合原料との衝突に先立ち、チャンバ内で自己衝突することを特徴とするミキシングヘッド装置。
【請求項２】
前記チャンバの側壁に設けた壁孔箇所にノズル部品が着脱自在に固定され、且つ該ノズル部品に前記細孔が形成される請求項１記載のミキシングヘッド装置。
【請求項３】
前記ノズル部品に細孔を二個形成し、且つ両細孔の中心軸線が交差する交差角度(θ)を３０°〜９０°の範囲内とする請求項２記載のミキシングヘッド装置。
【請求項４】
化学的に反応する二種類の液状配合原料に係る一方の配合原料と他方の配合原料とをチャンバ側壁にそれぞれ設けた細孔からチャンバ内へ噴射し、両配合原料を衝突させて混合するミキシングヘッド装置であって、前記両配合原料のうち少なくとも一方の前記配合原料に係る細孔が二個〜四個の範囲内で複数個設けられ、且つ該二個〜四個のうち二個以上の細孔の中心軸線がチャンバ内で交差し、その中心軸線が交差する細孔から噴射する前記配合原料の噴射液がチャンバ内で自己衝突するミキシングヘッド装置を用いて、前記両配合原料のうち一方の配合原料の噴射液を自己衝突させ、次いで、他方の配合原料と衝突させて両配合原料を混合した後、これを成形型内に吐出し硬化させることにより成形することを特徴とするミキシングヘッド装置を用いた成形方法。
【請求項５】
化学的に反応する二種類の配合原料が、２液性ポリウレタン樹脂用のポリオール成分を含む配合原料とイソシアネート成分を含む配合原料である請求項５記載のミキシングヘッド装置を用いた成形方法。
【発明の詳細な説明】
【技術分野】
【０００１】
本発明は、ポリウレタンフォーム等の化学的に反応する二種類の配合原料を撹拌混合するミキシングヘッド装置及びこれを用いた成形方法に関する。
【背景技術】
【０００２】
例えば、ポリウレタンフォームを成形する場合、高圧タイプのミキシングヘッド装置が使用されることがあり、従来装置には図１２に示すような固定ノズル方式のミキシングヘッド装置が存在した。図１３に図１２の下部詳細図を示す。図１２,図１３のミキシング装置では、化学的に反応する二種類の配合原料５ａ,５ｂに係る一の配合原料５ａと他の配合原料５ｂとをチャンバ１の対向する側壁１１にそれぞれ設けたノズル孔８０からチャンバ内１０にプランジャーを用いて、高い圧力で噴射し、両配合原料５ａ,５ｂを衝突させて混合する。符号Ｗはその衝突地点、符号８はノズル部材、符号２は注入ピストン、符号ＯＬは注入ピストン用のオイルを示す。二種類の配合原料５が混合した混合液６(混合液状体）は、装置下の吐出部１３から図示しない成形型内に吐出し、そのまま成形される。
従って、ミキシングヘッド装置に対しては、(1)混合液６が高撹拌されていること、(2)吐出口１４からの混合液６が、吐出開始時に飛び散る等、散乱することなく、計量した混合比率で均一になめらかに吐出すること（以下、スムースフローという。）が要求されてきた。そこで、高撹拌された混合液たる原料を得るためにノズル通過時のスピードを上げることが行われてきたが、そうするとポンプの圧力が高くなり、装置への負荷が大きくなる。またポンプ圧にも限界があり、さらに高撹拌を得ようとするとスムースフローに難が出る。ミキシングヘッド装置の吐出口１４より混合液６が吐出する時、この混合液６に余分なエネルギが残存していると、混合液６のスムースフローが得難くなる。
こうしたことから、斯かる問題を解決するために、これまで図１４、図１５に示す装置や、発明名称「樹脂発泡原液注入装置」たる改良装置の提案がなされてきた（特許文献１参照）。
【０００３】
【特許文献１】特開２００３−２９９９３９公報
【発明の開示】
【発明が解決しようとする課題】
【０００４】
しかしながら、図１４、図１５の装置には次のような問題があった。図１４の装置はチャンバ内１０の下流にバッフルピン９１を設け、両配合原料５ａ,５ｂの衝突後の混合液６が該バッフルピンを通過する間に混合度を高め、且つスムースフローを確保せんとするが、複雑な機構を取り入れなければならなかった。高粘性配合原料５を扱うポリウレタンフォームの製造にあっては、両配合原料５ａ,５ｂを衝突させて混合し吐出した後、注入ピストン２を下降させ、チャンバ内壁１１を洗浄する必要があった。したがって、その都度、バッフルピン９１を後退させねばならず、装置がコスト高となった。加えて、製造工程が図１２の一工程のものと比較して二工程になり生産性にも影響を及ぼした。
図１５の装置は、両配合原料５ａ,５ｂが衝突する衝突地点Ｗから水平横方向に向かう流速流れを内壁面Ｑで衝突させて、二次撹拌を促すと共に運動エネルギを奪いスムースフローを確保せんとするが、これも構造が複雑化して装置のコスト高を招いた。製造工程でも、注入ピストン２の作動とクリーニング部材９２の作動をリンクさせ、加えて、ロッド９２１による内壁の洗浄が必要となり、生産性にも影響を及ぼした。
上記特許文献１の発明技術は、「樹脂発泡原液を混合するヘッド部と、このヘッド部の先端側に接続され前記樹脂発泡原液を吐出するノズルとを備え、このノズルから吐出される前記樹脂発泡原液が、前記ノズルに設けられた衝突部に衝突されるようになっている樹脂発泡原液注入装置」であるが、混合が不十分になる虞があった。衝突部に衝突させて二次撹拌を促すと共に、運動エネルギを奪いスムースフローを確保せんとするが、その衝突構造が簡略化されているため混合が不十分になる虞があった。
図１６は一試験法による製品外形の概略図を示す。ミキシングヘッド装置の吐出部１３の下方に水平移動するベルトを置き、この上に両配合原料５ａ,５ｂの衝突後、吐出部１３から流出する混合液６(混合液状体)を流し、硬化した製品の外形、すなわち最初に吐出された頭の部分から胴を経て終了時の尾の部分までの外形を概略図示するものである。ちなみに、図１７は図１２の従来装置を使ってできた製品外形である。衝突による混合が不十分であったり混合後の混合液６のスムースフローが不十分であったりすると、図１７に示すごとく製品には、吐出開始部の頭の部分(図１７では右側の部分が該当)にはみ出し不良がみられたり、ボイドが現れたりするなどの品質不良を招いていた。
【０００５】
本発明は、上記問題点を解決するもので、混合液の高撹拌と吐出口からの混合液のスムースフローを向上させ、しかも、低コストにして生産性にも優れるミキシングヘッド装置及びこれを用いた成形方法を提供することを目的とする。
【課題を解決するための手段】
【０００６】
上記目的を達成すべく、請求項１に記載の発明の要旨は、化学的に反応する二種類の液状配合原料をチャンバ側壁にそれぞれ設けた細孔からチャンバ内に噴射し、両配合原料を衝突させて混合するミキシングヘッド装置において、前記両配合原料のうち少なくとも一方の配合原料に係る前記細孔が二個〜四個の範囲内で複数個設けられ、さらに該二個〜四個のうち二個以上の細孔の中心軸線がチャンバ内で交差し、その中心軸線が交差する細孔から噴射する前記配合原料の噴射液が、他方の配合原料との衝突に先立ち、チャンバ内で自己衝突することを特徴とするミキシングヘッド装置にある。ここで、「チャンバ」とは配合原料が噴射され、混合撹拌される空間の全てをいう。「自己衝突」とは、一種類の液状配合原料が二個以上の細孔から噴射液として噴射され、これらの噴射液同士が交差により衝突することをいう。
請求項２の発明たるミキシングヘッド装置は、請求項１で、チャンバの側壁に設けた壁孔箇所にノズル部品が着脱自在に固定され、且つ該ノズル部品に前記細孔が形成されることを特徴とする。請求項３の発明たるミキシングヘッド装置は、請求項２で、ノズル部品に細孔を二個形成し、且つ両細孔の中心軸線が交差する交差角度(θ)を３０°〜９０°の範囲内とすることを特徴とする。
請求項４に記載の発明の要旨は、化学的に反応する二種類の液状配合原料に係る一方の配合原料と他方の配合原料とをチャンバ側壁にそれぞれ設けた細孔からチャンバ内へ噴射し、両配合原料を衝突させて混合するミキシングヘッド装置であって、前記両配合原料のうち少なくとも一方の前記配合原料に係る細孔が二個〜四個の範囲内で複数個設けられ、且つ該二個〜四個のうち二個以上の細孔の中心軸線がチャンバ内で交差し、その中心軸線が交差する細孔から噴射する前記配合原料の噴射液がチャンバ内で自己衝突するミキシングヘッド装置を用いて、前記両配合原料のうち一方の配合原料の噴射液を自己衝突させ、次いで、他方の配合原料と衝突させて両配合原料を混合した後、これを成形型内に吐出し硬化させることにより成形することを特徴とするミキシングヘッド装置を用いた成形方法にある。請求項５の発明たるミキシングヘッド装置を用いた成形方法は、請求項４で化学的に反応する二種類の配合原料が、２液性ポリウレタン樹脂用のポリオール成分を含む配合原料とイソシアネート成分を含む配合原料であることを特徴とする。
【発明の効果】
【０００７】
本発明のミキシングヘッド装置及びこれを用いた成形方法によれば、両配合原料のうちの少なくとも一方の細孔を二個〜四個の範囲内で設け、さらにそのうちの少なくとも二個の細孔の中心軸線をチャンバ内で交差させるだけで、たやすくしかも確実に、混合液の高撹拌と吐出口からの混合液のスムースフローを達成できるようになり、低コストにして生産性向上，品質向上等に優れた効果を発揮する。
【発明を実施するための最良の形態】
【０００８】
以下、本発明に係るミキシングヘッド装置及びをこれ用いた成形方法の実施形態について詳述する。図１〜図１１は本発明のミキシングヘッド装置（以下、「混合装置」という。）及びこれ用いた成形方法の一形態を示したもので、図１は混合装置下部の概略縦断面図、図２は(イ)が図１のノズル部品の縦断面図で、（ロ)が(イ)と右側面図である。図３は図１のチャンバの壁孔にノズル部品及びノズルホルダーが装着される様子を示す分解説明図、図４は図２(イ)のノズル部品の部分拡大図、図５は図２のノズル部品とは別態様のノズル部品の縦断面図(イ)と右側面図(ロ)、図６は混合装置のチャンバの対向する側壁に取り付けられたノズル部品の位置関係を示す説明図、図７は図６のノズル部品の細孔から噴射する両配合原料の噴射液が衝突してできるその衝突面の概略形状で、図６のIV-IV線矢視図である。図８は混合装置のチャンバの対向する側壁に取り付けられたノズル部品の位置関係を示す説明図で、図６とは異なる別態様図、図９〜図１１は本ミキシングヘッド装置を用いた試験製品の外観画像処理図である。尚、図３は図面を分かり易くするため、ノズル部品の断面を示すハッチングを省略する。
【０００９】
本発明の混合装置の基本構造は図１２、図１３に示す従来の混合装置とほぼ同じである。化学的に反応する二種類の液状配合原料５に係る一の配合原料５ａと他の配合原料５ｂとをチャンバ１の対向する側壁１１にそれぞれ設けた細孔３０からチャンバ内１０に噴射し、両配合原料５ａ,５ｂを衝突させて混合する混合装置になっている。この高圧タイプの混合装置は、溶剤による洗浄に頼らず、図１２に示すような注入ピストン２による機械的洗浄法を採用する。図１は図１２の混合装置の下部拡大縦断面図に相当するが、図１２と同様、注入ピストン２を設ける。両配合原料５ａ,５ｂをチャンバ内１０で衝突,混合させた混合液６は吐出口１４から成形型７内へと吐出され、次いで、ピストンが上下動して両配合原料５ａ,５ｂが衝突,混合した後のチャンバ内壁１１を、注入ピストン２のロッド部２１がクリーニングする。
【００１０】
ここで、前記細孔３０からの両配合原料５ａ,５ｂの噴射による混合にあたって、従来の混合装置は、混合度合を高めるべく両配合原料５ａ,５ｂのスピードを上げこれに高エネルギを与えて衝突させ両者の撹拌,混合を行わせていた。スピードを上げ高エネルギを与えるべく、従来の混合装置では、チャンバ１の対向する側壁
１１に設けられる一の配合原料用細孔３０及び他の配合原料用細孔３０はそれぞれ一個であった。図１２、図１３の混合装置の細孔用ノズル孔８０でも、また図１４の混合装置や図１５の混合装置でも、対向側壁に設けられる一の配合原料用ノズル孔８０及び他の配合原料用ノズル孔８０はそれぞれ一個であった。両配合原料がプランジャー等の高圧力による高い吐出エネルギをもって両ノズル孔８０から噴射し、両者がぶつかり合って撹拌,混合することを企図していた。
【００１１】
しかるに、本発明者等は、混合液６のスムースフローの実現と混合性能を高めるために、発想を転換し、化学的に反応する二種類の配合原料５を衝突させ混合するには、図１２〜図１５のごとく両樹脂原料５ａ,５ｂが点で当たるよりも面で当たるようにする方が混合度合を向上させるのではないかと考え、その開発に取り組んだ。そして、混合装置及びこれを用いた成形方法の本発明に至った。両配合原料５ａ,５ｂの混合度合が高まり、且つ混合液６のスムースフローの効果が得られるのを実験確認した。
【００１２】
本混合装置では、両配合原料５ａ,５ｂのうちの少なくとも一方の細孔３０が二個〜四個の範囲内で複数個設けられる。且つ該二個〜四個のうち二個以上の細孔３０の中心軸線３５がチャンバ内１０で交差する。すなわち、二個,三個,又は四個の細孔３０の中心軸線３５がチャンバ内１０で交差する。また、その中心軸線３５が交差する細孔３０から噴射する前記配合原料５ａの噴射液が、他方の配合原料５ｂとの衝突に先立ち、チャンバ内１０で交差し自己衝突するよう設定する。さらに、前記二個〜四個のうち、二個以上の前記細孔３０の中心軸線３５がチャンバ内１０で交差する地点Ｒを、平面視又は側面視でチャンバ１の中心よりも該細孔３０側のチャンバ内壁１１寄りの地点として、他方の配合原料５との衝突に先立ち、チャンバ内１０での自己衝突を確実なものとする。他方の配合原料５との衝突に先立ち、一方の配合原料５がチャンバ内１０で交差し自己衝突することにより一方の配合原料５が分散状態になる。少なくとも一方の配合原料５がこの面状に広がる分散状態後に他方の配合原料５と衝突することで、チャンバ内１０で対向噴射される両配合原料５ａ,５ｂの混合度合を一段と高めることになる。と同時に、両配合原料５ａ,５ｂの混合度合が増すことによって、配合原料５の有していたエネルギが失われ、混合液６のスムースフローを実現させる。
ここで、「細孔３０が二個〜四個の範囲内で複数個設ける」に限定するのは、四個を越えると細孔３０の口径を小さくしなければならず、その分、不純物や凝集物によってノズルが詰まり易くなるからである。各配合原料用に設けられる好ましい細孔３０の数は二個である。本発明でいう上記「二個〜四個のうち二個以上の細孔３０の中心軸線３５がチャンバ内１０で交差する」で、例えば「二個の細孔３０の中心軸線３５がチャンバ内１０で交差する」は、細孔３０の中心軸線３５が幾何学的な三次元の空間で、二個の細孔３０の中心軸線３５が確実に交差するものだけでなく、両中心軸線３５がチャンバ内１０で僅かにズレて交差しなくても、二個の該細孔３０から噴射する配合原料５の噴射液が交差し実質的に自己衝突するような状態であれば、二個の細孔３０の中心軸線３５がチャンバ内１０で交差するとみなす。細孔３０から噴射される高粘性原料樹脂を含んだ液状配合原料５は細い流れの線状,ビーム状になるが、両配合原料５ａ,５ｂの噴射液５０が交差し自己衝突すれば、これも上記効果と同様の効果が得られるからである。両配合原料５ａ,５ｂの混合度合の高まり、すなわち高撹拌がなされると共にスムースフローが実現されるからである。
【００１３】
具体的には、図１２〜図１５の従来装置で両配合原料５ａ,５ｂが点で当たっていたのを、例えば、少なくとも一方の配合原料用細孔３０を二個設けて、且つその二個の細孔３０の中心軸線３５をチャンバ内１０で交差させることにより、両細孔３０から噴射する一方の配合原料に係る二つの噴射液５０を、他方の配合原料５との衝突に先立ち、チャンバ内１０で交差させて自己衝突させる。これにより、他方の配合原料５と衝突する地点では、一方の配合原料５が面状に広がっているので高混合を得ることになる。両方の配合原料５の細孔３０が二個〜四個の範囲内で複数個設けられ、さらに複数個設けられたうちの少なくとも二個の細孔３０の中心軸線３５がチャンバ内１０で交差するようにすれば、両配合原料５ａ,５ｂが衝突する地点では、双方の配合原料５が面状に広がっており、より高い高混合を得ることになる。また、化学的に反応する二種類の配合原料５ａ,５ｂが、２液性ポリウレタン樹脂用のポリオール成分を含む配合原料とイソシアネート成分を含む配合原料である場合は、イソシアネート成分を含む配合原料用の細孔３０のみが二個〜四個の範囲内で複数個設けられるだけでもよい。イソシアネート成分側の細孔３０のみであっても、双方の配合原料用細孔３０が二個〜四個の範囲内で複数個設けられた場合と同等の高い高混合が得られる。
図１,図６の混合装置では、チャンバ１の対向する両側壁１１に設けた両壁孔１２に、図２のノズル部品３がそれぞれ着脱自在に一個固定され、且つ両ノズル部品３にそれぞれ二個の細孔３０を形成する。
【００１４】
本実施形態の前記ノズル部品３は、図２に示すごとく円盤状体の主部３１にチャンバ内１０に面する表側から反対の裏側へ貫通するように細孔３０が二個設けられる。軸孔からなるストレートの両細孔３０はその両中心軸線３５が交差してできる内角の交差角度θを３０°〜９０°の範囲内とする。さらに、両細孔３０の中心軸線３５がチャンバ内１０で交差する地点Ｒが、図１のごとく側面視(又は平面視)でチャンバ１の中心(ここでは中心軸１９)よりも該細孔側のチャンバ内壁１１寄りの地点となるよう両細孔３０が配設される。細孔３０から噴射する配合原料５の噴射液５０に直進性が得られるよう軸孔の長さｌが決められ、噴射液５０の必要スピードが得られるよう細孔３０の口径ｄが設定される(図４)。本実施形態は、ノズル部品３の表側に円錐状凹み３２を設け、上記噴射液５０の直進性及び必要スピードの二条件が満たされるように、この凹み面から裏面側へ垂直貫通する細孔３０が上下方向に所定間隔をとって二個設けられる。「両中心軸線３５が交差する交差角度θを３０°〜９０°の範囲内とする」のは、３０°未満になると両配合原料５ａ,５ｂの衝突後の広がり(拡散)が不十分になるからである。一方、９０°を越えると、上記二条件が満たされた細孔３０をノズル部品３に形成するのが難しく且つ拡散も不十分になるからである。
また、ノズル部品３の裏面側には鍋底３３を設ける。壁孔箇所１２にノズル部品３が着脱自在に固定されて、詳しくは、図３のごとく壁孔１２周りの内壁１１にノズル部品３入りノズルホルダー４及びナット４ｂが螺着固定されて、細孔３０から配合原料５がチャンバ内１０に噴射するよう設定されるが、該鍋底の形成によって、配合原料５がチャンバ１に設けた導孔１６(又は導孔１５)を通って細孔３０へ円滑に導かれる。図３はノズル部品３がノズルホルダー４の窪み４０に装着され、これが壁孔箇所１２に固定される様子を示す。壁孔１２の周縁突起部にノズル部品３入りノズルホルダー４の先端が係止されて、ノズルホルダー４が導孔１６をつくるチャンバ壁に螺着固定される。こうして、配合原料５が導孔１６、さらにノズルホルダー４の取込口４３から縦通孔４２を通って先端へと向かい、ノズル部品３の細孔３０から配合原料５の噴射液５０がチャンバ内１０に噴射することとなる。符号３４はリング溝を示す。
【００１５】
図５は図１〜図３の細孔３０を二個設けたノズル部品３とは別態様のノズル部品３を示す。図５のノズル部品３は、図２のノズル部品３で細孔３０を上下方向に所定間隔をとって二個設けたが、これに加え、細孔３０を左右水平方向に所定間隔をとって二個設ける。円錐凹み３２の円錐頂点周りの凹み面に９０°間隔で細孔３０を四個設けたノズル部品３である。尚、図示を省略するが、細孔３０が三個の場合は、円錐凹み３２の円錐頂点周りの凹み面に１２０°間隔で細孔３０を三個設けたノズル部品３になる。
【００１６】
前記ノズル部品３は、例えば図２のものであれば、二個の細孔３０を上下にしてチャンバ１の壁孔１２に図１,図６のように取り付けられる。二個の細孔３０が上下方向に取り付けられることによって、自己衝突した後、両配合原料５ａ,５ｂが面状に広がって衝突するが、その衝突面は図７のような楕円形になる。垂直方向長さＹが水平方向長さＸよりも長くなっており、例えば二個の細孔３０の位置が楕円の焦点になるような楕円になる。二個の細孔３０を上下方向に取り付けた方が、水平方向に取り付けるよりも、チャンバ内壁１１に邪魔されずにその楕円面積を大きくでき、混合に対して一層の効果を上げる。
【００１７】
次に、本混合装置を用いた成形方法について説明する。化学的に反応する二種類の液状配合原料５ａ,５ｂに係る一方の配合原料５ａと他方の配合原料５ｂとをチャンバ側壁１１にそれぞれ設けた細孔３０からチャンバ内１０へ噴射し、両配合原料５ａ,５ｂを衝突させて混合する混合装置であって、前記両配合原料５ａ,５ｂのうち少なくとも一方の配合原料５ａに係る細孔３０が二個〜四個の範囲内で複数個設けられ、且つ該二個〜四個のうち二個以上の細孔３０の中心軸線３５がチャンバ内１０で交差し、その中心軸線３５が交差する細孔３０から噴射する前記配合原料５ａの噴射液５０がチャンバ内１０で自己衝突する混合装置を用いる。この混合装置を用いて、両配合原料５ａ,５ｂのうち一方の配合原料５ａの噴射液を自己衝突させ、次いで、他方の配合原料５ｂと衝突させて両配合原料５ａ,５ｂを混合した後、これを成形型７内に吐出し硬化させることにより成形する。化学的に反応する二種類の配合原料５が、２液性ポリウレタン樹脂用のポリオール成分を含む配合原料とイソシアネート成分を含む配合原料であれば、本混合装置を使用することによって、混合液６の高撹拌と吐出口１４からの混合液６のスムースフローを向上させて高品質の成形品を製造できるようになる。二個〜四個のうち二個以上の細孔３０の中心軸線３５がチャンバ内１０で交差する地点Ｒを、平面視又は側面視でチャンバの中心よりも該細孔側のチャンバ内壁１１寄りの地点とすると、混合液６の高撹拌とスムースフローがより高い精度で実現できるようになり、高品質の成形品を造るうえで一層好ましくなる。
【００１８】
以下、本混合装置を使用して性能比較試験を実施し、良好な結果を得たので、それについて説明する。
[性能比較試験１]
表１は本混合装置を用いて実験し、その結果をまとめたものである。ノズル部品３に設ける細孔３０の数や交差角度θを変化させて、一の配合原料５ａと他の配合原料５ｂとがそれぞれ自己衝突した後、両配合原料５ａ,５ｂが面状に広がって衝突した衝突面の形状を調べた。さらに混合後、吐出部１３から混合液６が吐出するが、その吐出開始時の未反応液の飛散や吐出開始部の発泡体の状態について調べた。
【００１９】
【表１】
2008307721.tif 000003
【００２０】
表１で用いた化学的に反応する二種類の配合原料５は、２液性ポリウレタン樹脂用のポリオール成分を含む配合原料とイソシアネート成分を含む配合原料である。イソシアネート側配合原料は、トルエンジイソシアネート・ＴＤＩ−８０(粘度、３cps＠２５℃)と、ポリメリックＭＤＩ(粘度、１００〜３０００＠２５℃)のブレンド品を用いた。ポリオール側配合原料は、ポリエーテルポリオールとグラフトポリオールのブレンド品を用いた。
表１ではイソシアネート側配合原料とポリオール側配合原料のそれぞれに設けた細孔３０の個数を「ノズルの数」として示す。例えば、実施例１の「ノズルの数」が２で且つ「本発明のノズル」の欄にポリオール/イソシアネートとあるのは、イソシアネート側配合原料用の細孔３０個数が２で、ポリオール側配合原料用の細孔３０個数が２であることを示す。実施例５の「ノズルの数」が４で且つ「本発明のノズル」の欄にポリオールとある場合は、ポリオール側のノズル(すなわち細孔)の個数だけが４となることを示す。イソシアネート側の細孔３０の数は１となる。ノズルの数が４とあるのは、図５のごとく円錐凹み３２の円錐頂点周りの凹み面で、上下左右に９０°間隔で細孔３０を四個設けるものである。また、表１の吐出孔の角度は、上側細孔３０の中心軸線３５が下側細孔３０の中心軸線３５と交差するが、その交差地点Ｒを通る水平線から上側細孔３０の中心軸線３５までの仰角を示しており、交差角度θの1/2の値に該当する。表１では両配合原料の衝突面での形状を「噴霧の形状」として示す。「噴霧の形状」はチャンバ内１０に透明のアクリル樹脂レンズを設けてビデオ撮影して観察した。
「ノズルの数」、すなわち細孔３０の数が２又は４で、これらの細孔から噴射する配合原料の噴射液が他方の配合原料との衝突に先立ち、チャンバ内で自己衝突することが、吐出開始時の未反応液の飛散や吐出開始部の発泡体の不具合を改善し、さらに「吐出孔の角度」が１５°〜４５°、すなわち交差角度θが３０°〜９０°の範囲の混合装置に良好な結果を得た。
【００２１】
[性能比較試験２]
先の図１６の説明内容と同じように、混合装置の吐出部１３の下方に水平移動するベルトを置き、これにチャンバ吐出部１３から流出する混合液６を流し、硬化した製品の外観性状を調べた(図９〜図１１)。化学的に反応する二種類の配合原料５は、実施例１と同じく、２液性ポリウレタン樹脂用のポリオール成分を含む配合原料とイソシアネート成分を含む配合原料を使用した。図９の混合装置ではイソシアネート成分を含む配合原料用細孔３０のみが二個設けられ、ポリオール成分を含む配合原料用細孔３０は一個にしている。図１０,図１１の混合装置ではイソシアネート成分を含む配合原料用細孔３０、ポリオール成分を含む配合原料用細孔３０がそれぞれ二個設けられている。二個の細孔３０を設けたところでは、両細孔３０の中心軸線３５がチャンバ内１０で交差し、該細孔３０から噴射する配合原料５の噴射液が、他方の配合原料５との衝突に先立ち、チャンバ内１０で自己衝突するよう設定している。図９〜図１１に係る両細孔３０の中心軸線３５が交差する交差角度θは全て６０°とした。図１０では、イソシアネート用とポリオール用の各二個の細孔３０を共に上下方向に配したが、図１１ではイソシアネート用の二個の細孔３０を水平方向に設置した。尚、図９〜図１１は、図１７と同様、原料の流し方向が図の右側から左側方向になっていて図１６と逆方向であり、図面の右側部分が頭で、図面の左側部分が尾になっている。
図９〜図１１、図１７の試験において、細孔３０から噴射する前記配合原料５の噴射液５０の流量及び圧力はほぼ同じである。図１７の従来の混合装置ではイソシアネート成分を含む配合原料用細孔３０、ポリオール成分を含む配合原料用細孔３０の数がそれぞれ一個設けられている。図１７の製品にはみ出し不良やボイド不良がみられるのに対し、図９〜図１１の製品はこうした不良がなく品質的に優れた外観を得た。(1)混合液６が高撹拌されていること、(2)吐出口１４からの混合液６がスムースフローであることが確認できた。
【００２２】
このように構成した混合装置及びこれを用いた成形方法は、両配合原料５ａ,５ｂのうちの少なくとも一方の細孔３０が二個〜四個の範囲内で複数個設けられ、さらに複数個設けられたうちの少なくとも二個の細孔３０の中心軸線３５をチャンバ内１０で交差するよう設定するだけで、混合液６の高撹拌と吐出口１４からの混合液６のスムースフローを向上させることができ、極めて有益となる。その構造がシンプルであることから、図１４,図１５といった従来装置に比べて、その装置コストを大幅にダウンできる。しかも、既存の混合装置であっても、ノズル部材８と互換性のある本ノズル部品３に置き換えるだけで簡単に上記混合液６の高撹拌と吐出口１４からの混合液６のスムースフローを向上させることができる。加えて、図１４,図１５のようなバッフルピン９１の出し入れやクリーニング部材９２の余分な作動工程が加わることがなく、生産性にも優れた装置になっている。勿論、図１５,図１６の従来装置に本発明構成を加えれば、さらなる高攪拌とスムースフローが実現する。特に金型成形品(モールド成形品)の製造においては、吐出開始から吐出停止までの全ての吐出状態で、均一に混合撹拌された混合反応液が供給されることから、成形品の欠肉,底あがり等の不良が低減できる。
【００２３】
尚、本発明においては、前記実施例に示すものに限られず、目的，用途に応じて本発明の範囲で種々変更できる。チャンバ１，注入ピストン２，ノズル部品３，ノズルホルダー４，成形型７等の形状，大きさ，個数などは用途に応じて適宜選択できる。例えば、化学的に反応する二種類の液状配合原料をチャンバ側壁１１にそれぞれ設けた細孔３０からチャンバ内１０に噴射する他に、反応に関与しない整泡剤,触媒などの配合助剤を、前記二種類の配合原料用細孔３とは別の細孔からチャンバ内１０に噴射する場合がある。こうした場合も、前記二種類の配合原料のうち少なくとも一方の配合原料に係る前記細孔３０が二個〜四個の範囲内で複数個設けられ、さらに該二個〜四個のうち二個以上の細孔３０の中心軸線３５がチャンバ内１０で交差し、その中心軸線が交差する細孔３０から噴射する前記配合原料の噴射液５０が他方の配合原料との衝突に先立ちチャンバ内１０で自己衝突すれば、本発明の範囲内になる。
【図面の簡単な説明】
【００２４】
【図１】本発明のミキシングヘッド装置の一形態を示したもので、その装置下部の概略縦断面図である。
【図２】(イ)が図１のノズル部品の縦断面図、(ロ)が(イ)の右側面図である。
【図３】図１のチャンバの壁孔にノズル部品及びノズルホルダーが装着される様子を示す分解説明図である。
【図４】図２(イ)のノズル部品の部分拡大図である。
【図５】(イ)が図２のノズル部品とは別態様のノズル部品の縦断面図、(ロ)が (イ)の右側面図(ロ)である。
【図６】ミキシングヘッド装置のチャンバの対向する側壁に取り付けられたノズル部品の位置関係を示す説明図である。
【図７】図６のノズル部品の細孔から噴射する両配合原料の噴射液が衝突してできるその衝突面の概略形状で、図６のIV-IV線矢視図である。
【図８】混合装置のチャンバの対向する側壁に取り付けられたノズル部品の位置関係を示す説明図で、図６とは異なる別態様図である。
【図９】実施例２の試験で、吐出部から混合液を移動ベルト上に流して硬化させた製品の外観画像処理図である。
【図１０】実施例２の試験で、図９のものと条件を変えて、吐出部から混合液を移動ベルト上に流して硬化させた製品の外観画像処理図である。
【図１１】実施例２の試験で、図９,図１０のものと条件を変えて、吐出部から混合液を移動ベルト上に流して硬化させた製品の外観画像処理図である。
【図１２】従来技術の説明断面図である。
【図１３】図１２の要部拡大図である。
【図１４】従来技術の説明断面図である。
【図１５】従来技術の説明断面図である。
【図１６】吐出部から混合液を移動ベルト上に流して硬化させた製品を得る説明図である。
【図１７】従来技術のミキシングヘッド装置を用いて、図１６に示す製品に対応して得た製品の外観画像処理図である。
【符号の説明】
【００２５】
１            チャンバ
１０          チャンバ内
１１          側壁
１８          中心
１９          中心軸（中心）
３            ノズル部品
３０          細孔
５            配合原料
５ａ          一の配合原料
５ｂ          他の配合原料
７            成形型（金型）
【図１】
2008307721.tif 000004
【図２】
2008307721.tif 000005
【図３】
2008307721.tif 000006
【図４】
2008307721.tif 000007
【図５】
2008307721.tif 000008
【図６】
2008307721.tif 000009
【図７】
2008307721.tif 000010
【図８】
2008307721.tif 000011
【図１２】
2008307721.tif 000012
【図１３】
2008307721.tif 000013
【図１４】
2008307721.tif 000014
【図１５】
2008307721.tif 000015
【図１６】
2008307721.tif 000016
【図９】
2008307721.tif 000017
【図１０】
2008307721.tif 000018
【図１１】
2008307721.tif 000019
【図１７】
2008307721.tif 000020